(57)【要約】  本開示は、プロセスグラフィックビューの優先ライブサムネイルを表示するシステムに関する。このシステムは、ライブデータ情報を提供するための、少なくとも1つのリアルタイムデータソース406、および少なくとも1つのエンジニアリング情報データソース409を含む。グラフィックファイルモニタ401は、グラフィックファイルリポジトリ405における変化をモニタリングするように構成され、タグエキストラクタ407は、事前定義されたルールに基づいてモニタリングのためにグラフィックファイルからタグを抽出するように構成されている。さらに、このシステムは、モニタリングされたタグのアラーム状態変化および/またはデータ状態変化をモニタリングし、モニタリングされたタグのタグ重要度およびアラーム優先順位を読み取るタグモニタ402、およびランク付けによってグラフィックビューを優先順位付けするビューランカ408も含む。
2013524376.tif 000002
【特許請求の範囲】
【請求項１】
プロセスグラフィックビューの優先ライブサムネイルを表示するシステムであって、
i)ライブデータ情報を提供するための少なくとも1つのリアルタイムデータソース406と、
ii)プラント性能と運転をモニタリングおよび制御するように構成されたグラフィックファイルを収納する、少なくとも1つのグラフィックファイルリポジトリ405と、
iii)プロセスタグおよびグラフィックスについてのエンジニアリング情報を提供する、少なくとも1つのエンジニアリング情報データソース409と、
iv)前記グラフィックファイルリポジトリ405における追加、削除または変更をモニタリングするように構成されたグラフィックファイルモニタ401、およびモニタリングに対する事前定義されたルールに基づいて、解析されたグラフィックファイルからタグを抽出するように構成されたタグエキストラクタ407と、
v)モニタリングされたタグのアラーム状態変化および/またはデータ状態変化をモニタリングするとともに、モニタリングされたタグに対するタグ重要度およびアラーム優先順位を読み取るように構成されたタグモニタ402、および所定のルールおよびオペレータが必要とする相対的な注意集中に基づいてランク付けすることによって、グラフィックビューに優先順位付けするビューランカ408と、
vi)注意集中を必要とする最高位優先グラフィックを自動的に表示する、優先サムネイルプレゼンタシステム403と、
vii)前記プロセスグラフィックビューの前記優先ライブサムネイルの事前構成されたビューを表示するとともに、それらをリアルタイムデータで更新する、表示システム404と
を含む、システム。
【請求項２】
前記リアルタイムデータソース406が、システムコントローラ、シミュレータ、またはデータベースのいずれかである、請求項1に記載のシステム。
【請求項３】
前記エンジニアリング情報データソース409が、ファイルまたはデータベースのいずれかである、請求項1に記載のシステム。
【請求項４】
前記グラフィックファイルモニタ401が、前記グラフィックファイルの何らかの追加、削除、または修正についてステーション上の前記グラフィックファイルをモニタリングする、請求項1に記載のシステム。
【請求項５】
前記タグモニタ402が、前記タグと前記グラフィックビューの関連マップを維持する、請求項1に記載のシステム。
【請求項６】
前記ビューランカ408が、前記タグ重要度、前記アラーム優先順位、アラーム状態およびカスタム化ルールまたはユーザによって設定されたカスタム化ルールに基づいて前記グラフィックビューをランク付けする、請求項1に記載のシステム。
【請求項７】
前記優先グラフィックサムネイルプレゼンタシステム403が、表示される最高位グラフィックビューについて、前記タグモニタ402および前記ビューランカ408に周期的に照会することができる、請求項1に記載のシステム。
【請求項８】
前記優先グラフィックサムネイルプレゼンタシステム403が、前記タグモニタ402および前記ビューランカ408から、ランキングにおける変化の通知を受ける、請求項1に記載のシステム。
【請求項９】
前記サムネイルにおける前記最高位優先グラフィックが、オペレータの注意集中を引くために境界を強調表示されている、請求項1に記載のシステム。
【請求項１０】
前記優先グラフィックサムネイルプレゼンタシステム403が、構成された数の優先ライブサムネイルを表示することができる、請求項1に記載のシステム。
【請求項１１】
前記システムがグラフィックのスナップショット画像を提供して、ユーザが自分に関心のある特定のグラフィックにズーミングすることを決めた場合に、いつでもそれを表示する、請求項1に記載のシステム。
【請求項１２】
前記ビューが、ミニチュアライブサムネイル形態か、全体ビューのいずれかで表示される、請求項1に記載のシステム。
【請求項１３】
優先グラフィックビューが、サムネイルの代わりにリストの形態でユーザに示される、請求項1に記載のシステム。
【請求項１４】
プロセスグラフィックビューの優先ライブサムネイルを表示する方法であって、
i)少なくとも1つのグラフィックファイルリポジトリ405における、追加、削除または変更をモニタリングする行為と、
ii)所定のルールに基づいて、モニタリングのために、解析されたグラフィックファイルからタグを抽出する行為と、
iii)モニタリングされたタグのアラーム状態変化および/またはデータ状態変化について、少なくとも1つのリアルタイムデータソース406をモニタリングする行為と、
iv)エンジニアリング情報データソース409からモニタリングされたタグについてのタグ重要度およびアラーム優先順位を読み取り、その後にタグモニタ402およびビューランカ408によるランキング表を準備することによって前記グラフィックビューを優先順位付けする行為と、
v)前記タグモニタ402および前記ビューランカ408から受け取るランキング入力に基づいてグラフィックビューの最優先ライブサムネイルを自動的に識別して、オペレータの注意集中を必要とする前記サムネイルを強調表示する行為と、
vi)前記グラフィックビューの前記最優先ライブサムネイルを事前構成されたビューで表示するとともに、それらをリアルタイムデータで更新する行為と
を含む、方法。
【請求項１５】
タグの前記抽出が、組込みルールおよびカスタム化ルールに基づいている、請求項12に記載の方法。
【請求項１６】
前記ビューが、ミニチュアライブサムネイル形態または全体ビューのいずれかで表示される、請求項12に記載の方法。
【請求項１７】
前記オペレータが、自分に関心のあるグラフィック上にマウスを合わせることによって拡大グラフィックを下見する、請求項12に記載の方法。
【請求項１８】
異状状況に関連する問題が解消した後に、グラフィックが自動的に除去されるか、または低優先順位に降格される、請求項12に記載の方法。
【請求項１９】
プロセスグラフィックビューの優先ライブサムネイルを表示するコンピュータプログラムであって、前記コンピュータプログラムコードは、
少なくとも1つのグラフィックファイルリポジトリ405における追加、削除または変更をモニタリングするコードセグメントと、
所定のルールに基づいて、モニタリングのために、解析されたグラフィックファイルからタグを抽出するコードセグメントと、
モニタリングされたタグのアラーム状態変化および/またはデータ状態変化について、少なくとも1つのリアルタイムデータソース406をモニタリングするコードセグメントと、
エンジニアリング情報データソース409からモニタリングされたタグについてのタグ重要度およびアラーム優先順位を読み取り、その後にタグモニタ402およびビューランカ408によるランキング表を準備することによって前記グラフィックビューを優先順位付けするコードセグメントと、
前記タグモニタ402および前記ビューランカ408から受け取るランキング入力に基づいてグラフィックビューの最優先ライブサムネイルを自動的に識別して、オペレータの注意集中を必要とする前記サムネイルを強調表示するコードセグメントと、
前記グラフィックビューの前記最優先ライブサムネイルを、事前構成されたビューで表示するコードセグメントと、
前記データソース406からリアルタイムデータを周期的に取り出して、グラフィックビューに表示されているグラフィックオブジェクト中にデータを更新するコードセグメントと
を含む、コンピュータプログラム。
【請求項２０】
動作がそれに記憶されたコンピュータ可読媒体であって、前記動作は、少なくとも1つのプロセッサによって処理されると、システムに、
少なくとも1つのグラフィックファイルリポジトリ405における、追加、削除または変更をモニタリングする行為と、
所定のルールに基づいて、モニタリングのために、解析されたグラフィックファイルからタグを抽出する行為と、
モニタリングされたタグのアラーム状態変化および/またはデータ状態変化について、少なくとも1つのリアルタイムデータソース406をモニタリングする行為と、
エンジニアリング情報データソース409からモニタリングされたタグについてのタグ重要度およびアラーム優先順位を読み取り、その後にタグモニタ402およびビューランカ408によるランキング表を準備することによってグラフィックビューを優先順位付けする行為と、
前記タグモニタ402および前記ビューランカ408から受け取るランキング入力に基づいてグラフィックビューの最優先ライブサムネイルを自動的に識別して、オペレータの注意集中を必要とする前記サムネイルを強調表示する行為と、
前記グラフィックビューの前記最優先ライブサムネイルを事前構成されたビューで表示するするとともに、その後に、前記リアルタイムデータソース406からのデータで、前記グラフィックビューを周期的に更新する行為と
を実施させる、コンピュータ可読媒体。
【発明の詳細な説明】
【技術分野】
【０００１】
本開示は、一般的には、プラントの性能と運転の測定およびモニタリングを行うのに使用される、インダストリアルオートメーションシステム(Industrial  Automation  systems)に関する。より具体的には、本開示は、オペレータの注意集中を必要とするプロセスグラフィックビューの優先ライブサムネイル(prioritized  live  thumbnail)を表示する方法およびシステムに関する。
【背景技術】
【０００２】
インダストリアルオートメーションシステムは、一般に、入出力モジュール、コントローラ  (フィールド制御ステーション(Field  Control  Station))、HMI(ヒューマン-マシンインターフェイス)、および通信に使用される制御ネットワークからなる。一般に、インダストリアルオートメーションシステムは、HMIおよびFCSを含む全体システムを構成するのに使用される、1つまたは複数のエンジニアリングステーションも含む。
【０００３】
フィールド制御ステーション(FCS)は、プロセス制御を実施する装置である。この装置は、制御計算、ならびにプロセス入出力およびソフトウエア入出力などの入出力機能を実行する、様々な種類の機能ブロックからなる。
【０００４】
既存のシステムおよび方法または機能ブロックは、入力端末から読み取られた入力信号に対して、入力処理、計算処理、および出力処理を順次、実施し、出力端末からの出力信号を書き込む。機能ブロックはまた、入力、計算または出力において異常が検出されるときには、アラーム処理も実施する。FCSで使用するように構成された各機能ブロックは、関連するタグ名を有する。
【０００５】
プラントにおけるすべての異常はアラームと呼ばれる。アラームは、プロセスアラームとシステムアラームの2種類とすることができる。
【０００６】
プロセスアラームは、FCSから生ずる。FCSは、測定値(PV)および操作出力値(MV)などの値からプロセスにおける何らかの異常を検出し、それを機能ブロックアラーム状態に反映させるとともに、同時に、検出結果を統合して、これらをHMIにメッセージとして通知する(動作およびモニタリング機能)。アラーム処理は、各機能ブロックにおいて見られる。
【０００７】
機能ブロックから発生したアラームには、入力オープン(IOP+、IOP-)、入力エラー(BAD)、入力ハイまたはロー(HH、HI、LO、LL)、入力速度(VEL+、VEL-)、逸脱アラーム(DV+、DV-)、出力オープン(OOP)、出力ハイおよび出力ロー(MHI、MHL)、不良接続(CNF)などの、異なる状態を与えることができる。
【０００８】
システムアラームは、オペレータに、ハードウエアにおける異常および通信エラーを知らせる。
【０００９】
アラーム処理レベルを、各タグ(機能ブロック)に対して指定することができる。機能ブロックから生じるアラームは、指定優先順位(高、中、または低)を有することになる。各タグ(機能ブロック)に対する重要度レベルを設定することができる。例えば、重要、普通、または予備(Auxiliary)である。
【００１０】
インダストリアルオートメーションにおいて使用されるHMIシステムは、通常、操作者に対して、グラフィックページ(プロセスグラフィック、グラフィックビューまたは模擬図形(mimic  diagram)とも呼ばれる)の形態で図画的に情報を提示する。このことは、オペレータは、制御中のプラントの概略表現を見ることができることを意味する。例えば、パイプに連結されたポンプの絵は、オペレータに、ポンプが動作しており、そのときにパイプを通してそのポンプがどれだけの流体を圧送しているかを示すことができる。次いで、オペレータは、ポンプをオフに切り換えることができる。HMIシステムは、パイプ内の流体の流量をリアルタイムで示すことになる。
【００１１】
グラフィックページは、ライングラフィックスと、プロセス要素を表わす図式記号で構成するか、または動画化された記号を重ねたプロセス機器のディジタル写真で構成してもよい。グラフィックページのこれらの要素は、一般的に、グラフィックオブジェクトと呼ばれる。グラフィックオブジェクトは、対応するプロセスタグとそれらを関連付けることによって、プロセス値を示すように構成することができる。またグラフィックオブジェクトは、関連するタグのアラーム状態を示すように構成することもできる。上記の内容は、既存の知識によるものである。
【００１２】
オーバビューグラフィックスは、機能ブロックの状態を表示するのに使用される、特殊な種類のグラフィックである。このオーバビューグラフィックスは、オペレータが、機能ブロック状態に基づいて関係する操作ウィンドウおよびモニタリングウィンドウを呼び出すことができるように構成することができる。プラントの全体状態が、一見して把握可能である。
【００１３】
オーバビューグラフィック用の設計時構成
グラフィックの構成要素の1つである、オーバビューオブジェクトは、プロセス状態リスト表示、アラーム状態肯定応答動作、および関係ウィンドウ呼び出しなどの機能を有する。名前、種類および表示方法などの様々な属性を、オーバビューオブジェクトに対して設定することができる。このオーバビューオブジェクトを使用して、ウィンドウを階層的に組織化することによって、下位ウィンドウにおけるアラーム状態およびその他の情報を、上位グラフィックウィンドウに統合して、モニタリングすることができる。したがって、全プラントのアラーム状態を、最上位グラフィックウィンドウにおいて、一見して把握することができる。オーバビューグラフィックを使用するアラーム状態モニタリングが図1に図示されている。また、図1は、ウィンドウの組織階層を示している。さらに、設計時構成のフローチャートについては、図2を参照されたい。
【００１４】
オーバビューグラフィックのランタイム挙動
構成済のプッシュボタンを備えるオーバビューグラフィックは、開かれると、実際の状態のボタンを表示する。ボタンは点滅して、構成済グラフィック上でアラームが発生したときを知らせる。ユーザがボタンをクリックすると、それが構成済グラフィックを開く。図1は一例を示している。図3は、オーバビューグラフィックのランタイム挙動を図示する例示的フローチャートを示す。
【００１５】
上記内容は既存知識に基づくものである。
【００１６】
現行慣行/解決策のいくつかの短所
1.プラントをモニタリングおよび制御する間、オペレータは、ライブ状態を知るために、様々なグラフィックス上にタブを置いておく必要がある。しかしながら、人間の能力では、同時に複数のグラフィックスに焦点を合わせるのは不可能である。
2.ユーザは、それぞれの重要なグラフィックビューをモニタリングするために、オーバビューグラフィックを構成する必要がある。
3.現行では、オーバビューオブジェクトは、タグ重要度またはアラーム優先順位を考慮せず、ユーザは、全種類のアラームについて知らされる。
【発明の概要】
【発明が解決しようとする課題】
【００１７】
請求項14に記載の方法、および請求項1に記載の対応するシステムを提供することによって、従来技術の短所は克服され、追加の効果が得られる。
【００１８】
本開示の技法によって、追加の特徴および効果が実現される。本開示のその他の実施形態および態様が、本明細書において詳細に説明されるが、それらは特許請求される開示の一部であるとみなされる。
【００１９】
本開示の1つの目的は、オペレータの注意集中を必要とする、重要なグラフィックビューのライブサムネイルを自動的に識別して表示するシステムを提供することである。
【００２０】
本開示の第2の目的は、プラント内の異常状況に関連する問題を解決することにあり、この場合には、そのような異常状況に対処中であるか、またはそれが解消されたときには、グラフィックが自動的に除去されるか、または低位の優先順位に降格される。
【００２１】
本開示の第3の目的は、オペレータの生産性を向上させるとともに、オーバビューグラフィックを作成するのに必要な作業の手間を省くことである。
【課題を解決するための手段】
【００２２】
例示的な一実施形態は、プロセスグラフィックビューの優先ライブサムネイルを表示するシステムであって、ライブデータ情報を提供するための少なくとも1つのリアルタイムデータソース406と、プラント成績と運転をモニタリングおよび制御するように構成されたグラフィックファイルを収納する、少なくとも1つのグラフィックファイルリポジトリ(graphic  files  repository)405と、プロセスタグおよびグラフィックスについてのエンジニアリング情報を提供する、少なくとも1つのエンジニアリング情報データソース409と、グラフィックファイルリポジトリ405における追加、削除または変更をモニタリングするように構成されたグラフィックファイルモニタ401、およびモニタリングに対する事前定義されたルールに基づいて、解析されたグラフィックファイルからタグを抽出するように構成されたタグエキストラクタ(tag  extractor)407と、モニタリングされたタグのアラーム状態変化および/またはデータ状態変化について、リアルタイムデータソース406をモニタリングするとともに、エンジニアリング情報データソース409からモニタリングされたタグに対するタグ重要度およびアラーム優先順位を読み取るように構成されたタグモニタ402、および所定のルールおよびオペレータが必要とする相対的な注意集中に基づいてランク付けすることによって、グラフィックビューに優先順位付けするビューランカ(View  Ranker)408と、注意集中を必要とする最高位優先グラフィックを自動的に表示する、優先サムネイルプレゼンタシステム(prioritized  thumbnail  presenter  system)403と、プロセスグラフィックビューの優先ライブサムネイルの事前構成されたビューを表示する表示システム404であって、データソース406から周期的にリアルタイムデータを取り出して、グラフィックビューに表示されたグラフィックオブジェクト中にデータを更新するようにも構成された表示システム404とを含む、システムを提供する。
【００２３】
例示的な一実施形態においては、リアルタイムデータソース406は、システムコントローラ、シミュレータ、またはデータベースのいずれかである。
【００２４】
例示的な一実施形態においては、エンジニアリング情報データソース409は、ファイルまたはデータベースのいずれかである。
【００２５】
例示的な一実施形態においては、グラフィックファイルモニタ401は、グラフィックファイルの何らかの追加、削除、または修正についてステーション上のグラフィックファイルをモニタリングする。
【００２６】
例示的な一実施形態においては、タグモニタ402は、タグとグラフィックビューの関連マップを維持する。
【００２７】
例示的な一実施形態においては、ビューランカ408は、タグ重要度、アラーム優先順位、アラーム状態およびカスタム化ルールまたはユーザによって設定されたカスタム化ルールに基づいて、グラフィックビューをランク付けする。
【００２８】
例示的な一実施形態においては、優先グラフィックサムネイルプレゼンタシステム403は、表示される最高位グラフィックビューについて、タグモニタ402およびビューランカ408に周期的に照会することができる。
【００２９】
例示的な一実施形態においては、優先グラフィックサムネイルプレゼンタシステム403は、タグモニタ402およびビューランカ408から、ランキングにおける変化の通知を受ける。
【００３０】
例示的な一実施形態においては、サムネイルにおける最高位優先グラフィックが、オペレータの注意集中を引くために境界を強調表示されている。
【００３１】
例示的な一実施形態においては、優先グラフィックサムネイルプレゼンタシステム403は、構成された数の優先ライブサムネイルをオペレータに表示する。
【００３２】
例示的な一実施形態においては、システムがグラフィックのスナップショット画像を提供して、ユーザが自分に関心のある特定のグラフィックにズーミングすることを決めたときには、いつでもライブビューを表示する。
【００３３】
例示的な一実施形態においては、ビューは、ミニチュアライブサムネイル形態か、全体ビューのいずれかで表示される。
【００３４】
例示的な一実施形態においては、オペレータには、ライブサムネイルの代わりにリストの形態で、優先グラフィックビューが示される。
【００３５】
別の例示的な実施形態は、プロセスグラフィックビューの優先ライブサムネイルを表示する方法であって、少なくとも1つのグラフィックファイルリポジトリ405における、追加、削除または変更をモニタリングする行為と、所定のルールに基づいて、モニタリングのために、解析されたグラフィックファイルからタグを抽出する行為と、モニタリングされたタグのアラーム状態変化および/またはデータ状態変化について、少なくとも1つのリアルタイムデータソース406をモニタリングする行為と、エンジニアリング情報データソース409からモニタリングされたタグについてのタグ重要度およびアラーム優先順位を読み取り、その後にタグモニタ402およびビューランカ408によるランキング表を準備することによってグラフィックビューを優先順位付けする行為と、タグモニタ402およびビューランカ408から受け取るランキング入力に基づいてグラフィックビューの最優先ライブサムネイルを自動的に識別して、オペレータの注意集中を必要とするサムネイルを強調表示する行為と、グラフィックビューの最優先ライブサムネイルを事前構成されたビューで表示するとともに、データソース406からリアルタイムデータを周期的に取り出して、グラフィックビューに表示されたグラフィックオブジェクト中にデータを更新する行為とを含む、方法を提供する。
【００３６】
例示的な一実施形態においては、タグの抽出は、組込みルールおよびカスタム化ルールに基づいている。
【００３７】
例示的な一実施形態においては、組込みルールは、(a)グラフィックファイルがアラームトリガー点滅用に構成されたグラフィックオブジェクトを含む場合には、関連するプロセスタグがモニタリングのために抽出される、(b)グラフィックファイルが機器フェイスプレートグラフィックオブジェクトを含む場合には、関連するタグがモニタリングのために抽出される、およびそれらの組合せを含む群から選択される。
【００３８】
例示的な一実施形態においては、カスタム化ルールは、(a)タグが文字A1から始まる場合には、それらを抽出し、(b)タグが文字B1から始まる場合には、それらを抽出しない、(c)文字IMPで始まるグラフィックファイルからすべてのタグを抽出する、およびそれらの組合せを含む群から選択される。
【００３９】
例示的な一実施形態においては、ビューは、ミニチュアライブサムネイル形態または全体ビューのいずれかで表示される。
【００４０】
例示的な一実施形態においては、オペレータが、自分に関心のあるグラフィック上にマウスを合わせることによって拡大グラフィックをプレビューする。
【００４１】
例示的な一実施形態においては、異状状況に関連する問題が解消した後に、グラフィックが自動的に除去されるか、または低優先順位に降格される。
【００４２】
さらに別の例示的実施形態は、プロセスグラフィックビューの優先ライブサムネイルを表示するコンピュータプログラムであって、前記コンピュータプログラムコードは、少なくとも1つのグラフィックファイルリポジトリ405における追加、削除または変更をモニタリングするコードセグメントと、所定のルールに基づいて、モニタリングのために、解析されたグラフィックファイルからタグを抽出するコードセグメントと、モニタリングされたタグのアラーム状態変化および/またはデータ状態変化について、少なくとも1つのリアルタイムデータソース406をモニタリングするコードセグメントと、エンジニアリング情報データソース409からモニタリングされたタグについてのタグ重要度およびアラーム優先順位を読み取り、その後にタグモニタ402およびビューランカ408によるランキング表を準備することによってグラフィックビューを優先順位付けするコードセグメントと、タグモニタ402およびビューランカ408から受け取るランキング入力に基づいてグラフィックビューの最優先ライブサムネイルを自動的に識別して、オペレータの注意集中を必要とするサムネイルを強調表示するコードセグメントと、グラフィックビューの最優先ライブサムネイルを、事前構成されたビューで表示するコードセグメントと、データソース406からリアルタイムデータを周期的に取り出すコードセグメントと、グラフィックビューに表示されているグラフィックオブジェクト中にデータを更新するコードセグメントとを含む、コンピュータプログラムを提供する。
【００４３】
さらに別の例示的な実施形態は、動作がそれに記憶されたコンピュータ可読媒体であって、動作は、少なくとも1つのプロセッサによって処理されると、システムに、少なくとも1つのグラフィックファイルリポジトリ405における、追加、削除または変更をモニタリングする行為と、所定のルールに基づいて、モニタリングのために、解析されたグラフィックファイルからタグを抽出する行為と、モニタリングされたタグのアラーム状態変化および/またはデータ状態変化について、少なくとも1つのリアルタイムデータソース406をモニタリングする行為と、エンジニアリング情報データソース409からモニタリングされたタグについてのタグ重要度およびアラーム優先順位を読み取り、その後にタグモニタ402およびビューランカ408によるランキング表を準備することによってグラフィックビューを優先順位付けする行為と、タグモニタ402およびビューランカ408から受け取るランキング入力に基づいてグラフィックビューの最優先ライブサムネイルを自動的に識別して、オペレータの注意集中を必要とするサムネイルを強調表示する行為と、グラフィックビューの最優先ライブサムネイルを事前構成されたビューで表示するとともに、データソース406からリアルタイムデータを周期的に取り出して、グラフィックビューに表示されたグラフィックオブジェクト中にデータを更新する行為とを実施させる、コンピュータ可読媒体を提供する。
【００４４】
上記の概要は、例証用だけのものであり、いかなる場合にも限定を意図するものではない。当業者には明白であるように、本開示の、その他多数の実施形態、特徴およびさらなる態様が、以下の説明および請求の範囲から明らかになるであろう。
【００４５】
図面は、本開示の好ましい実施形態の設計と効用の両方を図示するものである。
【図面の簡単な説明】
【００４６】
【図１】オーバビューグラフィックを使用するアラーム状態モニタリングを図式的に示すとともに、ウィンドウの組織化の階層を示す、例証用システム(従来技術)を示す図である。
【図２】全体設計構成の例示的方法を図示するフローチャート(従来技術)である。
【図３】オーバビューグラフィックのランタイム挙動の例示的方法を図示するフローチャート(従来技術)である。
【図４】プロセスグラフィックビューの優先ライブサムネイル用の例示的ブロック図である。
【図５】タグとグラフィックの関連マップの例示的な絵画的表現を示す図である。
【図６】タグ重要度およびアラーム優先順位用に準備された例示的なランキング表を図示する概略図である。
【図７】スコア演算とグラフィックランキングの例示的方法を図示する概略図である。最高スコアを有するグラフィックに、最優先順位が与えられる。
【図８】本開示の一態様による、プロセスグラフィックビューの強調表示された優先ライブサムネイルを示す、例示的ユーザインターフェイスのスクリーンキャプチャである。
【図９】本開示の一態様による、プロセスグラフィックビューのズーミングされた優先ライブサムネイルを示す、例示的ユーザインターフェイスのスクリーンキャプチャである。
【図１０】本開示の一態様による、プロセスグラフィックビューのライブサブネイルをランク付け、かつ優先順位付けする例示的方法を図示するフローチャートである。
【図１１】フィールドコントローラとHMIとが制御ネットワークを介して相互接続されている、システム構成を図式的に示す例証用システムを示す図である。
【発明を実施するための形態】
【００４７】
これらの図は、例証の目的でのみ、本開示の実施形態を描写している。当業者であれば、以下の説明から、本明細書に示す構造、モジュールおよび方法の代替実施形態を、本明細書に記載される開示の原理から逸脱することなく、利用できることを容易に理解するであろう。
【００４８】
上記では、以下の開示の詳細な説明を理解しやすくするために、本開示の特徴と技術的な効果について、いくぶんおおざっぱに概説した。本開示の特許請求の範囲の主題を形成する、本開示のさらなる特徴および効果について、以下に説明する。開示される概念および具体的な実施形態は、本開示と同一の目的を実施するための、その他の構造を修正または設計するための基礎としてすぐに利用できることを当業者には理解されたい。また、そのような、均等な構成は、添付の請求の範囲に記載された開示の趣旨と範囲から逸脱するものではないことを当業者には認識されたい。本開示に特有のものであると考えられる新規の特徴は、添付の図面と関係づけて考慮すれば、その組織と動作方法の両方について、さらなる目的と効果とを合わせて、以下の説明から、より詳細に理解されるであろう。しかしながら、図のそれぞれは、例証と説明のみの目的で提示されるものであり、本開示の限界の定義として意図するものではないことは、明確に理解されたい。
【００４９】
次に図4を参照すると、オペレータの注意集中を必要とするプロセスグラフィックビューの優先ライブサムネイルの表示のための、本開示の一態様によるシステム400の様々なモジュールが図示されている。本開示において開示される様々なモジュールは、相互に関係しており、それぞれのHMIにインストールされている。例示的なシステム構成が図11に図示されている。この図示された実施形態においては、例示的システム1100は、フィールドコントローラ1102、ヒューマンインターフェイス/エンジニアリングステーション1101および1103を備え、演算装置1106は、サーバコンピュータその他、汎用ネットワーク1105、および専用の制御ネットワーク1104を備えてもよい。（複数の）ネットワーク1104および1105は、公共ネットワーク、例えば、インターネット、ワールドワイドウエブなど、またはプライベートネットワーク、例えば、ローカルエリアネットワーク(LAN)など、またはそれらの組合せ、例えば、仮想プライベートネットワーク、インターネットに接続されたLANなどを含めることができる。さらに、（複数の）ネットワーク(1105および1104)は、有線ネットワークだけにする必要はなく、当該技術において知られている無線ネットワーク要素を含めてもよい。システム(1100)は、分散コンピューティング環境で作動してもよく、そのような環境では、いくつかのモジュール、例えば、それに限定はされないが、図4において参照されているような、グラフィックファイルモニタ401とタグエキストラクタ407や、タグモニタ402とビューランカ408が、サーバマシンに内蔵され、残りのモジュール、例えば、それに限定はされないが、優先グラフィックサムネイルプレゼンタシステム403、グラフィックビュー表示システム404が、個々のクライアントHMIマシンにロードされる。次に、各モジュールの機能および作用は、本明細書の以下の部分で詳細に説明する。
【００５０】
グラフィックファイルリポジトリ405は、複数のグラフィックファイルを記憶するように構成されている。この記憶されたグラフィックファイルは、プラントをモニタリングして制御するように構成されている。
【００５１】
リアルタイムデータソース406が、ライブプロセスデータへのアクセスを提供するために使用される。データソース406は、それに限定はされないが、任意のシステムコントローラ、シミュレータ、またはデータベースを含む。データソース406は、タグモニタモジュール402およびグラフィックビュー表示モジュール405に対してリアルタイムデータを提供する役割を負う。リアルタイムデータには、例えば、それに限定はされないが、プロセスタグと関連するプロセス値データ、プロセスタグと関連するアラーム状態データ、プロセスタグモード情報が含まれる。
【００５２】
エンジニアリング情報データソース409は、エンジニアリングデータにアクセスするのに使用される。このデータソース409には、それに限定はされないが、ファイルまたはデータベースが含まれる。データソース409は、タグモニタモジュール402とグラフィックビュー表示モジュール405に、エンジニアリングデータを提供する役割を負う。エンジニアリングデータには、例えば、それに限定はされないが、プロセスタグ優先順位、アラーム優先順位、上限情報および下限情報およびタグ記述が含まれる。
【００５３】
グラフィックファイルモニタ401およびタグエキストラクタ407モジュールは、ステーション上のグラフィックファイルについて、追加、削除、または修正、あるいはそれら組合せがあるかについてモニタリングする。このモジュール401は、モニタリングする必要のあるタグを抽出する。抽出されたタグは、さらなる処理のための情報として、タグモニタ402に送られる。このタグは、いくつかのルールに基づいて抽出される。これらのルールは、おおまかには組込みルールとカスタム化ルールとに分類される。この例示的ルールについて以下に説明する。
I.タグを抽出するための例示的組込みルールは以下のようにすることができる。しかしながら、これらのルールは、開示の範囲を限定するとは解釈するべきではない。
・グラフィックファイルが、アラームトリガー式点滅用として構成されているグラフィックオブジェクトを含む場合には、関連するプロセスタグが、モニタリングのために抽出されることになる。
・グラフィックファイルが、機器フェイスプレートグラフィックオブジェクトを含む場合には、関連するタグがモニタリングのために抽出されることになる。
II.ユーザは、自身のルールを定義するか、または自身の固有のニーズに応じてルールを編集することができる。アドミニストレータまたはステーションオペレータは、タグを抽出するために、自分自身のルールを作成することができる。タグを抽出するための、例示的なカスタムルールは以下のようにすることができる。しかしながら、これらは、本開示の範囲を限定するものと解釈するべきではない。
・タグが文字A1で始まる場合には、それを抽出する。
・タグが文字B1で始まる場合には、それを抽出しない。
・文字IMPで始まるグラフィックファイルからすべてのタグを抽出する。
【００５４】
タグモニタ402/ビューランカ408モジュールは、タグアラーム状態、例えば異常状況および/または指定の状態変化をモニタリングする。それはまた、タグとグラフィックビューの関連マップを維持する。関連マップに対して、特定のタグを含む、すべてのグラフィックページを理解することができる。代替的にこの関連マップを使用すると、ユーザは、特定のグラフィックに含まれるすべてのモニタリングされたタグを知ることができる。関連マップ500のこの例示的な図的記述が、本開示に応じて図5に図示されている。
【００５５】
このモジュール402は、それに限定はされないが、タグ重要度、アラーム優先順位、アラーム状態を含む、所定の情報に基づき、かつ/またはユーザが設定するルールに基づいて、グラフィックビューをランク付けする。ランク付けされたグラフィックビューは、異状の場合において、オペレータの注意集中を引きつけるのを助ける。グラフィックビューをランク付けするのに、異なる方法を、使用することができる。以下は、本開示において使用される、そのようなランキングの一例であり、本開示の範囲を制限するものと解釈するべきではない。図10は、本開示の態様による、プロセスグラフィックビューのライブサムネイルをランク付けおよび優先順位付けする例示的方法1000を図示している。
【００５６】
ランク付け方法は、タグ重要度およびアラーム優先順位に対するランキング表を準備することから始まる。例示的なランキング表600が図6に図示されている。表の行は、タグ重要度を指定している。この重要度は、プロセスにおけるタグの重要度に基づいて、さらに、複数のレベル、例えば、重要、普通および予備に分類される。同様に、表の列は、アラーム優先順位の様々なレベルに分類されている。例えば、アラーム優先順位は、例えば安全、環境、および商業的重要性などの基準に基づいて、高または低、あるいは中程度などの中間とすることができる。
【００５７】
表を作成した後に、各グラフィックに対して、各アラーム優先順位レベルにおけるタグの数を確認する。さらに、それを、ランキング表における対応するセルと乗算することによってスコアが演算される。合計スコアが、すべての演算スコアを加算することによって演算される。合計スコアが演算されると、最高にランクされるグラフィックを識別するのは容易である。最高スコアのグラフィックは、最高ランクとして資格が与えられる。スコア演算とグラフィックランク付け700の例示的な方法は、図7に示されている。2つのグラフィックに対するスコアが同一であるとき、優先順位は、グラフィックにおける重要なタグの数に基づくか、または特定のアラームのタイミングに基づいて決めることができる。アラーム状態などのその他の要因を考慮することによってスコアを演算することも可能である。例えば、HHアラーム状態には、HLアラームと比較して、より大きな重みを与えることができる。
【００５８】
ユーザは、異なるパラメータに対する重みを決めたり、タグおよびアラームに対する追加のフィルタリングルールを追加することによって、ランキングシステムをカスタム化することができる。さらに、ユーザはまた、モニタモジュールに対してルールを追加して、グラフィックをランク付けするために、タグにおける状態または値変化を考慮することもできる。例えば、ユーザは、TagName.PVの値が50よりも大きいと、オペレータの注意集中が必要というルールを設定することができる。ユーザ設定ルールおよびフィルタの他に、モニタリングモジュールは、どのアラームを考慮する必要があり、どれを無視してもよいかを決定するために、その他のアプリケーション、例えば、それに限定はされないが、アラーム合理化プログラム(Alarm  Rationalization  programs)とインターフェイスすることができる。
【００５９】
このモジュール402は、ユーザに対して、グラフィックランキングを照会すること、またはランキングにおける変化の通知を依頼することを可能にする。本開示の態様による、プロセスグラフィックビューのライブサムネイルをランク付けおよび優先順位付けする例示的な方法1000が図10に示されている。
【００６０】
図10を参照すると、一実施形態による、プロセスグラフィックビューのライブサムネイルのランク付けおよび優先順位付けのために、リアルタイムデータソース406から収集された情報の処理をさらに詳細に説明する。一実施形態においては、図10に図示される処理は、上述のように、1つまたは複数の好適な処理モジュールによって実行される、記憶された命令を使用して実施される。しかしながら、その他のハードウエアまたは複合ハードウエア/ソフトウエア実施技法も、設計選択の問題として、同様に利用してもよいと理解される。それにもかかわらず、処理はブロック1001において始まり、そこでグラフィックファイルが、グラフィックファイルリポジトリ405から取り出される。ブロック1003において、リポジトリ405内にファイルがまだ存在するかどうかを見出すために、リポジトリ405が、連続的にループ処理される。ファイルがまだ存在する場合には、ファイルが解析されて、組込みルールおよびカスタムルールに基づいて、モニタリングのためにグラフィックファイルからタグが抽出される。このステップが、図10におけるブロック1002に図示されている。ブロック1002においてモニタリングのためにタグが抽出されると、エンジニアリング情報データソース409から必要なデータにアクセスすることによって、ブロック1004においてモニタリングされたタグのタグ重要度およびアラーム優先順位が調べられる。さらに、ブロック1005において、先のブロック1004において調べられたタグ重要度およびアラーム優先順位などの情報を使用して、ランキング表が準備される。ブロック1005においてランキング表が生成された後に、リアルタイムデータが、リアルタイムデータソース406から周期的に取り出されるとともに、ブロック1006において、モニタリングされたタグについてアラーム状態が周期的に確認される。ブロック1008において、アラーム内のタグについて、それが注意集中を必要とするかどうかが確認される。注意集中が必要な場合には、アラーム状態、ランキング表およびカスタムルールに基づいて、ビューが自動的に記憶される。このステップの後に、制御はブロック1006に戻り、同じステップが反復される。注意集中が必要でない場合には、制御はブロック1006に戻り、同じステップが反復される。
【００６１】
優先グラフィックサムネイルプレゼンタシステム403モジュールは、注意集中を必要とするグラフィックのサムネイル(事前構成された数のサムネイル)を表示する役割を負っている。構成によれば、このモジュール403は、表示すべき最高位グラフィックビューについて、タグモニタ402およびビューランカ408を周期的に照会することができる。
【００６２】
代替的に、このモジュール403は、タグモニタ402およびビューランカ408からのランキング変更通知を受けることができる。いずれの場合にも、最高位ランクのグラフィックを得た後に、サムネイルビューは、それらのビューのミニチュアライブグラフィックを提供し提示するために更新される。オペレータの注意集中は、例えば、それに限定はされないが、最高位ランクグラフィックを縁取りして強調表示することによって、それに引かれることになる。注意集中を引く他の手段としては、それに限定はされないが、異なる優先順に対して異なる縁取り色を使用すること、ポップアップメッセージなどが挙げられる。図8は、本開示の一態様によるプロセスグラフィックビューの強調表示された優先ライブサムネイルを示す、例示的なユーザインターフェイスのスクリーンキャプチャ800を示す。オペレータは、関心のあるグラフィック上にマウスを合わせることによって、わずかに拡大されたグラフィックをプレビューできる。しかしながら、マウス合わせに対する、ズーム係数は、事前構成することができる。次に、オペレータは、特定のグラフィックを選択することができ、モニタリングおよび制御動作のために、それが自動的に最大化される。このことが図9に図示されており、この図は、本発明の一態様によるプロセスグラフィックビューのズーミングされた優先ライブサムネイルを示す、例示的なユーザインターフェイス900のスクリーンキャプチャを示している。
【００６３】
オペレータステーションハードウエア構成が、多数のライブグラフィックサムネイルをサポートするのに適していない場合には、グラフィックのスナップショット画像だけが示されて、ライブグラフィックは、ユーザが、自分に関心のある特定のグラフィックをズーミングすることを決めたときにだけ示される。オペレータが、特に関心がないと感じた場合には、特定のビューを抑制または除去する、オプションが提供される。
【００６４】
グラフィックビュー表示モジュール404は、ミニチュアライブサムネイル形態または全体ビューのいずれかで、選択されたビューを表示する。このモジュールはまた、必要とされるエンジニアリング情報およびリアルタイムプロセスデータをデータソース409および406から取り出して、グラフィックビューの一部であるグラフィックオブジェクトを更新する。
【００６５】
本開示の態様は、様々な分散コンピューティングシステム環境における使用に対して好適である。分散コンピューティング環境においては、タスクは、通信ネットワークを介してリンクされている、リモートコンピュータ装置によって実施することができる。本開示の実施形態は、それぞれが、中央処理ユニット(CPU)またはそのコンピュータ実行可能命令を実行するための他の処理手段、実行可能な命令を記憶するためのコンピュータ可読媒体、情報を表示または出力するためのディスプレイまたはその他の出力手段、情報を入力するためのキーボードまたはその他の入力手段、その他などの標準的コンピュータハードウエアを含む、特殊目的および/または汎用のコンピュータ装置を含めてもよい。適当なコンピュータ装置の例としては、ハンドヘルド装置、マルチプロセッサシステム、マイクロプロセッサベースまたはプログラマブルな大衆消費電子製品、ネットワークPCS、ミニコンピュータ、メインフレームコンピュータ、その他が挙げられる。
【００６６】
本発明は、パーソナルコンピュータまたはサーバによって実行される、プログラムモジュールなどのコンピュータ実行可能命令の一般的なコンテキストによって記述される。一般的に、プログラムモジュールには、特定のタスクを実施するか、または特定の抽象的データタイプを実行する、ルーチン、プログラム、オブジェクト、コンポーネント、データ構造、などが含まれる。一般に、プログラムモジュールの機能は、必要に応じて、様々な環境において組み合わせるか、または分散させてもよい。
【００６７】
本発明の範囲内の実施形態は、また、実行可能な命令を有するコンピュータ可読媒体を含む。そのようなコンピュータ可読媒体は、汎用または特定用途のコンピュータによってアクセスすることのできる、任意の利用可能な媒体とすることができる。例示の目的であって、限定としてではないが、そのようなコンピュータ可読媒体には、RAM、ROM、EEPROM、CD-ROMまたはその他の光学ディスク記憶装置、磁気ディスク記憶装置、またはその他の磁気記憶装置、または所望の実行可能命令を記憶するのに使用することができるとともに、汎用または特定用途のコンピュータによってアクセスすることのできる、その他任意の媒体を含めることができる。上記の組合せも、コンピュータ可読媒体の範囲に含めるべきである。実行可能な命令には、例えば、汎用コンピュータ、特定用途のコンピュータ、または、特定用途の処理装置に、特定の機能または機能群を実施させる、命令およびデータが含まれる。
【００６８】
代替的に、フレームワークの部分は、ハードウエア、またはハードウエア、ソフトウエア、および/もしくはファームウエアの組合せとして実現してもよい。例えば、1つまたは複数の特定用途向け集積回路(ASIC)またはプログラマブルロジックデバイス(PLD)を、フレームワークの1つまたは複数の部分を実現するように設計、またはプログラムすることもできる。
【００６９】
様々な態様および実施形態を、本明細書において開示したが、他の態様および実施形態も、当業者には明白であろう。本明細書において開示される様々な態様および実施形態は、例証を目的とするものであり、限定を意図するものではなく、真の範囲と趣旨は以下の請求の範囲によって指示されている。
【符号の説明】
【００７０】
400  システム
401  グラフィックファイルモニタ
402  タグモニタ
403  優先サムネイルプレゼンタ
404  グラフィックビュー表示
405  グラフィックファイルリポジトリ
406  リアルタイムデータソース
407  タグエキストラクタ
408  ビューランカ
409  エンジニアリング情報データソース
500  関連マップ
600  ランキング表
800, 900  ユーザインターフェイスのスクリーンキャプチャ
1100  システム
1102  フィールドコントローラ
1103  エンジニアリングステーション
1104  制御ネットワーク
1105  汎用ネットワーク
1106  サーバ
【図１】
2013524376.tif 000003
【図２】
2013524376.tif 000004
【図３】
2013524376.tif 000005
【図４】
2013524376.tif 000006
【図５】
2013524376.tif 000007
【図６】
2013524376.tif 000008
【図７】
2013524376.tif 000009
【図８】
2013524376.tif 000010
【図９】
2013524376.tif 000011
【図１０】
2013524376.tif 000012
【図１１】
2013524376.tif 000013
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
プロセスグラフィックビューの優先ライブサムネイルを表示するシステムであって、
i)ライブデータ情報を提供するための少なくとも1つのリアルタイムデータソース(406)と、
ii)プラント性能と運転をモニタリングおよび制御するように構成されたグラフィックファイルを収納する、少なくとも1つのグラフィックファイルリポジトリ(405)と、
iii)プロセスタグおよびグラフィックスについてのエンジニアリング情報を提供する、少なくとも1つのエンジニアリング情報データソース(409)と、
iv)前記グラフィックファイルリポジトリ(405)における追加、削除または変更をモニタリングするように構成されたグラフィックファイルモニタ(401)、およびモニタリングに対する事前定義されたルールに基づいて、前記グラフィックファイルからタグを抽出するように構成されたタグエキストラクタ(407)と、
v)モニタリングされたタグのアラーム状態変化およびデータ状態変化をモニタリングするとともに、前記タグの重要度およびモニタリングされたタグに対するアラーム優先順位を読み取るように構成されたタグモニタ(402)、および所定のルールおよびオペレータが必要とする注意集中に基づいてランク付けすることによって、前記グラフィックビューに優先順位付けするビューランカ(408)と、
vi)前記オペレータの注意集中を引くように優先グラフィックが縁取りして強調表示されるように、前記優先グラフィックを自動的に表示する、優先サムネイルプレゼンタシステム(403)と、
vii)前記プロセスグラフィックビューの前記優先ライブサムネイルの事前構成されたビューを表示するとともに、それらをリアルタイムデータで更新する、表示システム(404)と
を含む、システム。
【請求項２】
前記リアルタイムデータソース(406)が、システムコントローラ、シミュレータ、またはデータベースのいずれかである、請求項1に記載のシステム。
【請求項３】
前記エンジニアリング情報データソース(409)が、ファイルまたはデータベースのいずれかである、請求項1に記載のシステム。
【請求項４】
前記グラフィックファイルモニタ(401)が、前記グラフィックファイルの何らかの追加、削除、または修正について前記グラフィックファイルをモニタリングする、請求項1に記載のシステム。
【請求項５】
前記タグモニタ(402)が、前記モニタリングされたタグと前記グラフィックビューの関連マップを維持する、請求項1に記載のシステム。
【請求項６】
前記ビューランカ(408)が、前記モニタリングされたタグの重要度、前記アラーム優先順位、アラーム状態およびカスタム化ルールまたはユーザによって設定されたカスタム化ルールに基づいて前記グラフィックビューをランク付けする、請求項1に記載のシステム。
【請求項７】
前記優先グラフィックサムネイルプレゼンタシステム(403)が、表示される前記優先グラフィックビューについて、前記タグモニタ(402)および前記ビューランカ(408)に周期的に照会することができる、請求項1に記載のシステム。
【請求項８】
前記優先グラフィックサムネイルプレゼンタシステム(403)が、前記タグモニタ(402)および前記ビューランカ(408)から、ランキングにおける変化の通知を受ける、請求項1に記載のシステム。
【請求項９】
前記優先グラフィックサムネイルプレゼンタシステム(403)が、構成された数の優先ライブサムネイルを表示することができる、請求項1に記載のシステム。
【請求項１０】
前記システムがグラフィックのスナップショット画像を提供して、ユーザが自分に関心のある特定のグラフィックにズーミングすることを決めた場合に、いつでもそれを表示する、請求項1に記載のシステム。
【請求項１１】
前記グラフィックビューが、ミニチュアライブサムネイル形態か、全体ビューのいずれかで表示される、請求項1に記載のシステム。
【請求項１２】
優先グラフィックビューが、サムネイルの代わりにリストの形態でユーザに示される、請求項1に記載のシステム。
【請求項１３】
プロセスグラフィックビューの優先ライブサムネイルを表示する方法であって、
i)少なくとも1つのグラフィックファイルリポジトリ(405)における、追加、削除または変更をモニタリングする行為と、
ii)所定のルールに基づいて、モニタリングのために、グラフィックファイルからタグを抽出する行為と、
iii)モニタリングされたタグのアラーム状態変化およびデータ状態変化について、少なくとも1つのリアルタイムデータソース406をモニタリングする行為と、
iv)エンジニアリング情報データソース(409)からモニタリングされたタグについての前記タグの重要度およびアラーム優先順位を読み取り、その後にタグモニタ(402)およびビューランカ(408)によるランキング表を準備することによって前記グラフィックビューを優先順位付けする行為と、
v)前記タグモニタ(402)および前記ビューランカ(408)から受け取るランキング入力に基づいてグラフィックビューの優先ライブサムネイルを自動的に識別して、オペレータの注意集中を必要とする前記サムネイルを強調表示する行為と、
vi)前記グラフィックビューの前記優先ライブサムネイルを事前構成されたビューで表示するとともに、それらをリアルタイムデータで更新する行為と
を含む、方法。
【請求項１４】
タグの前記抽出が、組込みルールおよびカスタム化ルールに基づいている、請求項13に記載の方法。
【請求項１５】
前記グラフィックビューが、ミニチュアライブサムネイル形態または全体ビューのいずれかで表示される、請求項13に記載の方法。
【請求項１６】
前記オペレータが、自分に関心のあるグラフィック上にマウスを合わせることによって前記グラフィックファイルの拡大ビューを下見する、請求項13に記載の方法。
【請求項１７】
異状状況に関連する問題が解消した後に、前記グラフィックファイルが自動的に除去されるか、または低優先順位に降格される、請求項13に記載の方法。
【請求項１８】
プロセスグラフィックビューの優先ライブサムネイルを表示するコンピュータプログラムであって、前記コンピュータプログラムコードは、
少なくとも1つのグラフィックファイルリポジトリ(405)における追加、削除または変更をモニタリングするコードセグメントと、
所定のルールに基づいて、モニタリングのために、グラフィックファイルからタグを抽出するコードセグメントと、
モニタリングされたタグのアラーム状態変化およびデータ状態変化について、少なくとも1つのリアルタイムデータソース(406)をモニタリングするコードセグメントと、
エンジニアリング情報データソース(409)からモニタリングされたタグについての前記タグの重要度およびアラーム優先順位を読み取り、その後にタグモニタ(402)およびビューランカ(408)によるランキング表を準備することによって前記グラフィックビューを優先順位付けするコードセグメントと、
前記タグモニタ(402)および前記ビューランカ(408)から受け取るランキング入力に基づいてグラフィックビューの優先ライブサムネイルを自動的に識別して、オペレータの注意集中を必要とする前記サムネイルを強調表示するコードセグメントと、
前記グラフィックビューの前記優先ライブサムネイルを、事前構成されたビューで表示するコードセグメントと、
前記データソース(406)からリアルタイムデータを周期的に取り出して、グラフィックビューに表示されているグラフィックオブジェクト中にデータを更新するコードセグメントと
を含む、コンピュータプログラム。
【請求項１９】
動作がそれに記憶されたコンピュータ可読媒体であって、前記動作は、少なくとも1つのプロセッサによって処理されると、システムに、
少なくとも1つのグラフィックファイルリポジトリ(405)における、追加、削除または変更をモニタリングする行為と、
所定のルールに基づいて、モニタリングのために、グラフィックファイルからタグを抽出する行為と、
モニタリングされたタグのアラーム状態変化およびデータ状態変化について、少なくとも1つのリアルタイムデータソース(406)をモニタリングする行為と、
エンジニアリング情報データソース(409)からモニタリングされたタグについての前記タグの重要度およびアラーム優先順位を読み取り、その後にタグモニタ(402)およびビューランカ(408)によるランキング表を準備することによってグラフィックビューを優先順位付けする行為と、
前記タグモニタ(402)および前記ビューランカ(408)から受け取るランキング入力に基づいてグラフィックビューの優先ライブサムネイルを自動的に識別して、オペレータの注意集中を必要とする前記サムネイルを強調表示する行為と、
前記グラフィックビューの前記優先ライブサムネイルを事前構成されたビューで表示するするとともに、その後に、前記リアルタイムデータソース(406)からのデータで、前記グラフィックビューを周期的に更新する行為と
を実施させる、コンピュータ可読媒体。
【手続補正２】
【補正対象書類名】明細書
【補正対象項目名】００４８
【補正方法】変更
【補正の内容】
【００４８】
上記では、以下の開示の詳細な説明を理解しやすくするために、本開示の特徴と技術的な効果について、いくぶんおおざっぱに概説した。本開示の特許請求の範囲の主題を形成する、本開示のさらなる特徴および効果について、以下に説明する。開示される概念および具体的な実施形態は、本開示と同一の目的を実施するための、その他の構造を修正または設計するための基礎としてすぐに利用できることを当業者には理解されたい。本開示に特有のものであると考えられる新規の特徴は、添付の図面と関係づけて考慮すれば、その組織と動作方法の両方について、さらなる目的と効果とを合わせて、以下の説明から、より詳細に理解されるであろう。しかしながら、図のそれぞれは、例証と説明のみの目的で提示されるものであり、本開示の限界の定義として意図するものではないことは、明確に理解されたい。
【国際調査報告】
2013524376.tif 000014
2013524376.tif 000015
2013524376.tif 000016